(57)【要約】      （修正有）【課題】ペンダントの着脱が容易で、開閉部が容易に外れないペンダント連結具を提供する。【解決手段】ネックレスの中央部分に一体に配置されるペンダント連結具１００であって、基部６ａと開閉部６ｂからなる主リング６と、ネックレス１と主リングを連結する補助リング５ａ、５ｂと、開閉部を基部に係止する係止金具３と、開閉部が開かないように押さえるセーフティ金具と、が備えられ、ペンダント２のバチカン２ａに開いた開閉部の一端が通され、係止金具で開閉部が閉じられ、セーフティ金具で開閉部が押さえられて、ペンダントが吊り下げられる。【選択図】図２
0003220282.tif 000002
【実用新案登録請求の範囲】
【請求項１】
ネックレスの中央部分に一体に配置されるペンダント連結具であって、
基部（６ａ）と開閉部（６ｂ）からなる主リング（６）と、
ネックレス（１）と主リング（６）を連結する補助リング（５、５）と、
開閉部（６ｂ）を基部（６ａ）に係止する係止金具（３）と、
開閉部（６ｂ）が開かないように押さえるセーフティ金具（１０）と、
が備えられ、
ペンダント（２）のバチカン（２ａ）に開いた開閉部（６ｂ）の一端が通され、係止金具（３）で開閉部（６ｂ）が閉じられ、セーフティ金具（１０）で開閉部（６ｂ）が押さえられて、ペンダント（２）が吊り下げられることを特徴とするペンダント連結具。
【請求項２】
前記係止金具（３）は、凸部と挟み込み部の勘合により係止されることを特徴とする請求項１に記載のペンダント連結具。
【請求項３】
前記セーフティ金具（１０）は、凸部と挟み込み部の勘合により係止されることを特徴とする請求項１に記載のペンダント連結具。
【請求項４】
前記主リング（６）と補助リング（５、５）の間に、上下方向を軸とする縦向きヒンジ（７ａ）と前後方向を軸とする横向きヒンジ（７ｂ）からなる連結ヒンジ（７）が設けられることを特徴とする請求項１に記載のペンダント連結具。
【考案の詳細な説明】
【技術分野】
【０００１】
本考案は、ペンダント連結具に係り、より詳しくは、左右のネックレス体の下端を連結するように取り付けられ、ペンダントのバチカンを着脱自在に装着でき、また、係止金具の開閉を押さえるセーフティ金具を備えたペンダント連結具に関する。
【背景技術】
【０００２】
特許文献１には、ペンダントヘッドのバチカン変換具が示される。バチカンはペンダントヘッドに取付けられる環状の閉じた連結具で、バチカンの穴にネックレスのチェーンを通し、ペンダントがネックレスの中央に来るように吊り下げる。しかし一般にはバチカンは、穴が小さく太いチェーンやネックレス両端の留め具は通せない。特許文献１には、開閉部がありバチカンの穴に通せる小径のリングと、ネックレスのチェーンを通せる大径のリングの２つを備えたバチカン変換具が提案されている。
【０００３】
しかしながら、既存のネックレスにペンダントを通して吊り下げるのではなく、ネックレスを左右２つの部材に分け、中央部分に連結具を設けることが望まれる。これによれば、ペンダントが大きくスライドすることがなく、またネックレスとの一体感も得られる。連結具にネックレスを通さないので、大径のリングを縦向きに置く必要がなく、大径のリングが装着者の胸前方に突出しないようにできる。バチカンの係止金具は、開閉部が摩擦係止となるが、ペンダントには高価なものが多いので、係止金具の開閉部が容易に外れないようにする安全機構も望まれる。
【先行技術文献】
【特許文献】
【０００４】
【特許文献１】実用新案登録第３１６２８６０号公報
【考案の概要】
【考案が解決しようとする課題】
【０００５】
本考案の目的は、ペンダントの着脱が容易で、開閉部が容易に外れないペンダント連結具を提供することにある。
【課題を解決するための手段】
【０００６】
本考案によるペンダント連結具は、ネックレスの中央部分に一体に配置されるペンダント連結具であって、基部（６ａ）と開閉部（６ｂ）からなる主リング（６）と、ネックレス（１）と主リング（６）を連結する補助リング（５、５）と、開閉部（６ｂ）を基部（６ａ）に係止する係止金具（３）と、開閉部（６ｂ）が開かないように押さえるセーフティ金具（１０）と、が備えられ、ペンダント（２）のバチカン（２ａ）に開いた開閉部（６ｂ）の一端が通され、係止金具（３）で開閉部（６ｂ）が閉じられ、セーフティ金具（１０）で開閉部（６ｂ）が押さえられて、ペンダント（２）が吊り下げられることを特徴とする。
【０００７】
前記係止金具（３）は、凸部と挟み込み部の勘合により係止されることを特徴とする。
【０００８】
前記セーフティ金具（１０）は、凸部と挟み込み部の勘合により係止されることを特徴とする。
【０００９】
前記主リング（６）と補助リング（５、５）の間に、上下方向を軸とする縦向きヒンジ（７ａ）と前後方向を軸とする横向きヒンジ（７ｂ）からなる連結ヒンジ（７）が設けられることを特徴とする。
【考案の効果】
【００１０】
本考案によるペンダント連結具によれば、
（１）主リング（６）と補助リング（５、５）をネックレス（１）の中央部分に設けたので、主リング（６）が突出せず、ネックレスと一体型の連結具にできる。主リングが正面を向くようにできる。
（２）開閉部（６ｂ）を基部（６ａ）に係止する係止金具（３）と、開閉部（６ｂ）が開かないように押さえるセーフティ金具（１０）を設けたので、バチカン（２ａ）の穴に通した開閉部（６ｂ）が誤って開くことを２重に防止できる。
【００１１】
係止金具（３）は、凸部と挟み込み部の勘合により係止されるので、バネなどを使用した機構に比べて小さな形状で係止ができる。
【００１２】
セーフティ金具（１０）は、凸部と挟み込み部の勘合により係止されるので、バネなどを使用した機構に比べて小さな形状で係止ができる。
【００１３】
主リング（６）と補助リング（５、５）の間に、上下方向を軸とする縦向きヒンジ（７ａ）と前後方向を軸とする横向きヒンジ（７ｂ）からなる連結ヒンジ（７）を設けたので、主リングのネックレスに対する動きをより広くできる。
【図面の簡単な説明】
【００１４】
【図１】本考案によるペンダント連結具で、（Ａ）はペンダントを装着しない状態、（Ｂ）はペンダントを装着した状態を示す図である。実施例１
【図２】本考案によるペンダント連結具で、ペンダントの着脱をどのように行なうかの説明図である。実施例１
【図３】図１の主リングを裏側から見た斜視図である。実施例１
【図４】本考案によるペンダント連結具で、（Ａ）はペンダントを装着しない状態、（Ｂ）はペンダントを装着した状態を示す図である。実施例２
【図５】本考案によるペンダント連結具で、ペンダントの着脱をどのように行なうかの説明図である。実施例２
【図６】図４の主リングを裏側から見た斜視図である。実施例２
【図７】図４の主リングを裏側から見た斜視図である。実施例２
【考案を実施するための形態】
【００１５】
以下、添付の図面を参照して、本考案のペンダント連結具を詳しく説明する。
【実施例１】
【００１６】
図１は、本考案によるペンダント連結具１００で、（Ａ）はペンダント２を装着しない状態を示す図である。（Ｂ）はペンダント２を装着した状態を示す図である。図１の（Ａ）に示すように、左ネックレス部１ａの下端に左補助リング５ａが取り付けられ、右ネックレス部１ｂの下端に右補助リング５ｂが取り付けられる。左補助リング５ａは、連結ヒンジ７を介して、主リング６に連結される。同様に、右補助リング５ｂは、連結ヒンジ７を介して、主リング６に連結される。連結ヒンジ７は、上下方向を軸とする径の小さな縦向きヒンジ７ａと、前後方向を軸とする径の大きい横向きヒンジ７ｂからなる。これにより主リング６がねじれたような場合でも動きやすくなる。また、主リングが正面を向くようにできる。なお、連結ヒンジ７を介さずに、左補助リング５ａと右補助リング５ｂを、直接主リング６に連結してもよい。
【００１７】
図１の（Ｂ）に示すように、ペンダント２のバチカン２ａの穴に主リング６の開閉部６ｂが通される。バチカン２ａのバンドは、開閉部６ｂの上から、下の開口部９を抜けて出てくるような状態で装着される。ペンダント２は、開口部９の幅を超えて移動しない。
【００１８】
図２は、本考案によるペンダント連結具１００で、ペンダント２の着脱をどのように行なうかの説明図である。（Ａ）は、主リング６の開閉部６ｂが閉じられた状態にある。（Ｂ）は、主リング６の開閉部６ｂが押し下げられ、開閉部６ｂが開いた状態にある。開閉部６ｂは係止金具３の凸部３ａが、基部６ａの挟み込み部３ｂに摩擦で勘合しており、開く時は開閉部６ｂを下方向に押す。（Ｃ）に示すように、バチカン２ａの穴に開閉部６ｂの開放された一端を通す。（Ｄ）に示すように、バチカン２ａの穴に開閉部６ｂが通ったら、開閉部６ｂを上方向に押し上げ、係止金具３の凸部３ａを挟み込み部３ｂに勘合させ係止状態にする。これにより、ペンダント２をペンダント連結具１００に吊り下げることができる。
【００１９】
図３は、図１の主リング６を裏側から見た斜視図である。（Ａ）は、セーフティ金具１０が係止状態にあって、主リング６の開閉部６ｂが開けない状態にある。すなわち、セーフティ金具１０の凸部１０ａが、球体１０ｄから出る２本の棒の間の挟み込み部１０ｂに勘合している。挟み込み部１０ｂの２本の棒は、基部６ａにヒンジ１０ｃに取り付けられている。凸部１０ａは、開閉部６ｂに設けられ、突出している。（Ｂ）は、セーフティ金具１０が外され、セーフティ金具１０が非係止状態にあることを示す。なお、図２の（Ｂ）では、もちろんセーフティ金具１０を外した状態（非係止状態）にする。図２の（Ｄ）では、セーフティ金具１０を係止状態にする。図３の（Ａ）と（Ｂ）に示すように、開閉部６ｂは円弧状のフレームからなり、フレームの両端に設けられた左ヒンジ８ａと右ヒンジ８ｂにより回動できる。
【実施例２】
【００２０】
図４は、本考案による実施例２のペンダント連結具１００で、（Ａ）はペンダント２を装着しない状態を示す図、（Ｂ）はペンダント２を装着した状態を示す図である。（Ａ）に示すように、左ネックレス部１ａの下端に左補助リング５ａが取り付けられ、右ネックレス部１ｂの下端に右補助リング５ｂが取り付けられる。左補助リング５ａと右補助リング５ｂは、図１の実施例１のような連結ヒンジ７を介さずに、主リング６の基部６ａに連結される。つまり、実施例２は、実施例１より連結構造が簡略化されている。（Ｂ）に示すように、ペンダント２のバチカン２ａの穴に主リング６の開閉部６ｂが通される。バチカン２ａの環状体が、開閉部６ｂに装着され、ペンダント２は開閉部６ｂの幅内であれば動く。
【００２１】
図５は、本考案による実施例２のペンダント連結具１００で、ペンダント２の着脱をどのように行なうかの説明図である。（Ａ）は、主リング６の開閉部６ｂが閉じられた状態にある。（Ｂ）は、主リング６の開閉部６ｂが押し下げられ、開閉部６ｂが開いた状態にある。開閉部６ｂの一端にはヒンジ８が設けられる。開閉部６ｂは係止金具３の凸部３ａが、基部６ａの挟み込み部３ｂに摩擦で勘合しており、開く時は開閉部６ｂを下方向に押す。（Ｃ）に示すように、バチカン２ａの穴に開閉部６ｂの開放された一端を通す。（Ｄ）に示すように、バチカン２ａの穴に開閉部６ｂが通ったら、開閉部６ｂを上方向に押し、係止金具３の凸部３ａを挟み込み部３ｂに勘合させ係止状態にする。これにより、ペンダント２をペンダント連結具１００に吊り下げることができる。
【００２２】
図６は、図４の主リング６を裏側から見た斜視図である。図６は、セーフティ金具１０の構成例１で、（Ａ）は、セーフティ金具１０が係止状態にあって主リング６の開閉部６ｂが開けない状態にある。すなわちセーフティ金具１０の凸部１０ａが、孔で形成される挟み込み部１０ｂに勘合している。（Ｂ）に示すように、凸部１０を上に引き上げることで、（Ｃ）に示すように、開閉部６ｂを開放状態にできる。なお、凸部１０ａは、ヒンジ１０ｃに結合されている。図５の（Ｂ）では、もちろんセーフティ金具１０を外した状態にして開閉部６ｂを開く。開閉部６ｂは一端に設けられたヒンジ８により回動できる。セーフティ金具１０を設けたので、係止金具３を外しただけでは開閉部６ｂを開くことができないので、開閉部６ｂが誤って開くことを２重に防止できる。
【００２３】
図７は、図４の主リングを裏側から見た斜視図である。図６は、セーフティ金具１０の構成例２で、（Ａ）は、セーフティ金具１０は、係止状態にあって主リング６の開閉部６ｂが開けない状態にある。すなわちセーフティ金具１０の凸部１０ａが、球体と棒で形成される挟み込み部１０ｂに勘合している。（Ｂ）に示すように、挟み込み部１０ｂを上に引き上げることで、（Ｃ）に示すように、開閉部６ｂを開放状態にする。挟み込み部１０ｂは、ヒンジ１０ｃに結合している。開閉部６ｂは、一端のヒンジ８により回動できる。セーフティ金具１０を設けたので、係止金具３を外しただけでは開閉部６ｂを開くことができないので、開閉部６ｂが誤って開くことを２重に防止できる。
【産業上の利用可能性】
【００２４】
本考案は、ネックレスと一体に構成され、ペンダントの着脱ができるペンダント連結具として好適である。
【符号の説明】
【００２５】
１    ネックレス
１ａ    左ネックレス部
１ｂ    右ネックレス部
２    ペンダント
２ａ    バチカン
３    係止金具
３ａ    凸起
３ｂ    挟み込み部
５    補助リング
５ａ    左補助リング
５ｂ    右補助リング
６    主リング
６ａ    基部
６ｂ    開閉部
７    連結ヒンジ
７ａ    縦向きヒンジ
７ｂ    横向きヒンジ
８    （開閉部の）ヒンジ
８ａ    左ヒンジ
８ｂ    右ヒンジ
９    開口部
１０    セーフティ金具
１０ａ    凸部
１０ｂ    挟み込み部
１０ｃ    ヒンジ
１０ｄ    球体
１００    ペンダント連結具
【図１】
0003220282.tif 000003
【図２】
0003220282.tif 000004
【図３】
0003220282.tif 000005
【図４】
0003220282.tif 000006
【図５】
0003220282.tif 000007
【図６】
0003220282.tif 000008
【図７】
0003220282.tif 000009